(57)【要約】      （修正有）【課題】圧縮変形を利用して吐水するのが困難な容器や、両端開放の給気管を設けた容器が水封や間欠吐水を起こす現象を解消し、ハス口内部の水垢や塵埃の掃除を行えるハス口を提供する。【解決手段】ハス口１は、吐水板１１と干渉しない独立の給気経路１２に、逆流防止装置２１を付けた給気管２を設けてハス口１内包に突出させ、容器４内の負圧が容液全表面に等圧に働く原理による吸引力で、逆流防止装置２１に付設の開閉弁２２が給気力に相関して開き、容器４内へ給気し、水封や間欠吐水を解決する。また、ハス口１の吐水板１１はハス口１の外殻に設けた吐水板ガイド１５に咬み合わせてスライドさせて着脱出来ることから、取り外してハス口１内部の水垢や塵埃の掃除を行い、更に吐水板１１を取換えて異なる吐水を得ることが出来る。【選択図】図１
0003232789.tif 000002
【実用新案登録請求の範囲】
【請求項１】
ハス口の一部に、ハス口の吐水面とは干渉しない給気孔を設けてその給気孔に、内端部に逆流防止装置を付けた給気管を挿込みハス口内包へ突出させて、吐水により容器内が負圧となったときに内容液の全表面に等圧の圧力が生ずる原理による吸引力で、逆流防止装置に付設の開閉弁が給気力に相関して開き容器内へ給気を行い、連続で平準な吐水を得るように構成されたハス口。
【請求項２】
ハス口の吐水板は、ハス口の外殻に設けた吐水板ガイドに、密着して咬み合うガイド掴みを介して、スライドさせることにより着脱出来ることから、取り外してハス口内部の水垢や塵埃の掃除を行えて、更に吐水板を取り換えれば異なる吐水を得ることが出来るように構成された請求項１のハス口。
【考案の詳細な説明】
【技術分野】
【０００１】本考案は、ペットボトルやガラス瓶等の密閉容器のキャップ用ネジ口部分に取り付けて吐水を行うハス口に関する。
【背景技術】
【０００２】ハス口を密閉容器（以降省略して容器と称する）のキャップ用ネジ口部分（以降省略してネジ口と称する）にネジ付けて、容器を握り圧縮することによる変形を利用してハス口から吐水を行うものや、ハス口近傍に両端部が開口の給気管を設けて容器内に突出させ、容器内外の圧力差により吐水を行うもの、更に給気管を容器の底部近傍まで伸ばして、外気と連通して給気することにより吐水するものがある。
この例として特許文献に開示されているものがある。
【特許文献１】登録実用新案  ３０３３８２７号
【特許文献２】特開  ２０１６−０７７２６
【考案の開示】
【考案が解決しようとする課題】
【０００３】容器を握り圧縮することによる変形を利用して吐水や給気を行うのは、握れ
0003232789.tif 000003
は容量に対応して丈夫であり、また容器の径が大きいために、握り圧縮するのは困難である。両端開口の給気管を容器内に突出させて容器内外の圧力差により吐水を行うものにあっては、吐水のためにネジ口を下に向けると容器内の溶液が急に下降して給気管内で水封を起こしたり、容器内の負圧が給気力に達するまでは、給気管内に容器内の溶液が流入して吐出する間欠現象を連続して繰り返すために、ハス口からの吐水も間欠となり平準を欠くことがある。給気管を容器の底部近傍まで伸ばして、外気と連通して給気するものにあっては容器内の給気は外気と連通するが、給気管がハス口から長く突出すためにハス口の収納や運搬の利便性が損なわれる。
又、ハス口の吐水板はハス口の外殻と一体に形成され、取り外しや開放できないためにハス口内部に水垢や塵埃が付着して吐水効率が落ちても容易に清掃ができない。
更に、ハス口を容器ネジ口にネジ付けたときに把手付容器では、ハス口の吐水面が把手と相対する方向にならないことがある。
【課題を解決するための手段】
【０００４】これらの課題を解決するために本考案は、容器内の負圧にあっては、負圧を解除する独立した給気経路を設ける。ハス口の一部に、ハス口の吐水面とは干渉しない給気孔を設けてその給気孔に、内端部に逆流防止装置を付けた給気管を挿込みハス口内包へ突出させて、吐水により容器内が負圧となったときに内容液の全表面に等圧の圧力が生ずる原理による吸引力で、逆流防止装置に付設の開閉弁が給気力に相関して開き容器内へ給気を行い、連続で平準な吐水を得ることにより、容器の握り圧縮吐水や両端開放給気管に起こる水封と間欠吐水を解決する。
更に給気管をハス口内包に設置しネジ口から突出しないためにハス口の収納や運搬の利便性を図れる。
ハス口の吐水板は、ハス口の外殻に設けた吐水板ガイドに、密着して咬み合うガイド掴みを介してスライドさせることにより、着脱出来ることから、取り外してハス口内部の水垢や塵埃の掃除を行えて、更に吐水板を取り換えれば異なる吐水を得ることが出来る。
ハス口はハス口から突出した輪状の筒口に、容器をネジ付けるソケットの輪状の筒口を差し込み、その輪状の筒口が略８分割され外側へ反らしているバネ性状と返し止めが、ハス口から突出した輪状の筒口を押え保持することにより、ハス口は任意の方向に回転することができる。
【考案の効果】
【０００５】本考案のハス口は、吐水板と干渉しない給気孔を設け、その給気孔へ内端部に逆流防止装置を付けた給気管を挿込みハス口内包へ突出させて、逆流防止装置に付設の開閉弁が、給気力に相関して開き容器内へ給気を行うものであり、圧縮変形を利用して吐水するのが困難な容器や、両端部が開放された給気管を設置している容器が水封や間欠吐水を起こす現象を解消し、更に給気管がハス口から突出しない構成により収納や運搬の利便性を図れる。
またハス口の吐水板はスライドさせて着脱出来ることから、取り外してハス口内部の水垢や塵埃の掃除を行えて、更に吐水板を取換えれば異なる吐水を得ることが出来る。
【考案を実施するための形態】
【０００６】図１は本実施例の縦断面図を示す。ハス口１の一部分に吐水板１１と干渉しない独立した給気孔１２を設け給気孔１２に給気管２を挿し込み、その給気管２をハス口１の内包へ突出する。給気管２の突出端部には給気管２の内部に水が流入するのを防止するための逆流防止装置２１を設ける。逆流防止装置２１は開閉弁２２を具備しており開閉弁２２は、容器４内が大気圧では閉鎖し、吐水により負圧となる給気力に相関して開き、容器４内へ給気を行なうことにより、両端開放の給気管２では吐水をするためにネジ口を下に向けると容器４内の溶液が急に下降して給気管２に入り水封を起こしたり、容器１内の負圧が給気力に達するまでは、給気管２内に容器４内の溶液５が流入して吐水する間欠現象を連続して繰り返し、吐水板１１からの吐水が連動して間欠となる現象を解消する。
【０００７】ハス口１はハス口から突出した輪状の筒口１３に、容器をネジ付けるソケット３の輪状の筒口３１を差し込み、その輪状の筒口３１を略８分割して外側にそらしたバネ性状と返し止め３２が、ハス口１から突出した輪状の筒口１３を押えて遊離に保持することにより、ハス口１は任意の方向に回転することができる。
【０００８】図４は本実施例の横断面図を示す。ハス口１の吐水板１２はハス口１の外殻１４に設けた吐水板ガイド１５に咬み合わせてスライドさせることにより着脱出来ることから、取り外してハス口１内部の水垢や塵埃の掃除を行えて、更に吐水板１１を取換えれば異なる吐水を得ることが出来る。
【０００９】ソケット３の内側にはネジ口径略３８ｍｍの大型密閉容器４１を取り付けるネジ山とネジ口径略３０ｍｍの中型密閉容器４２を取り付けるネジ山を有するが、これら以外の口径の容器はソケット３にアタッチメントを取り付ける。
【００１０】逆流防止装置２１は容器１内へ給気するときに開く開閉弁２２を具備し容器１内が大気圧では閉鎖し、吐水の負圧による給気力に相関して開く機能を持つ。図１に本考案に係る例として示す逆流防止装置２１の開閉弁２２は後端を逆流防止装置２１に定着した弁状をなして、給気により先端から開き給気が無いときは弾性により閉まる復元力を保持する。
【００１１】本考案において吐水とは容器内の溶液５の吐出を言い液体５は、水、消毒液、肥料溶液等水溶液全般を言う。
【産業上の利用分野】
【００１２】本考案のハス口は、容器のネジ口に装着して、密閉の容器に係らず吐水を行うものに関する。
【図面の簡単な説明】
【図１】同実施例の横断面図
【図２】同実施例の横面姿図
【図３】同実施例の下面姿図
【図４】同実施例の縦断面図（中間部）
【図５】同実施例の縦断面図（前方部）
【符号の説明】  １……ハス口                ３……ソケット
１１…吐水板                ３１…ソケットの筒口
１２…給気孔                ３２…返し止め
１３…ハス口の筒口          ４……容器
１４…ハス口外殻            ４１…大型容器ネジ山
１５…吐水板ガイド          ４２…中型容器ネジ山
２……給気管                ５……溶液
２１…逆流防止装置
２２…開閉弁
【図１】
0003232789.tif 000004
【図２】
0003232789.tif 000005
【図３】
0003232789.tif 000006
【図４】
0003232789.tif 000007
【図５】
0003232789.tif 000008
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
ハス口の吐水板Ａ端と、ハス口の筒口の中間部となるハス口外殻に給気管を挿入できる孔を設けて給気口とし、その孔に略８ｍｍ外径を有する給気管の端部を挿入し、給気管の他端部には給気管外径が内径となる弁管を装着して弁管の端面に、弁管の外径と同寸で弾性体の弁材を設け、その一端を弁管内径厚まで膠着させて開閉弁となした給気管を、ハス口内包の中間位置まで突出させて、吐水により容器内の溶液が降下して容器内部が負圧となったときに、容液の全表面に等圧の負圧が生ずる原理（パスカルの原理）による吸引力で、開閉弁が給気力の強弱に相関して開閉し容器内へ給気を行ない連続で平準な吐水を得るように構成されたハス口。
【請求項２】
ハス口の吐水板は、ハス口の外殻に設けた直線の吐水板用凹型溝ガイドに平板からなる吐水板の外周部Ｂ端方向から噛みこませて、Ａ端方向からＢ端方向に吐水板をスライドさせ、Ａ端部の吐水板Ｌ曲りが吐水板用凹型溝ガイドのＡ端点に接触して押し止まり、着装することにより着脱出来ることから、取り外してハス口内部の水垢や塵埃の掃除を行えて、更に吐水板を取り換えれば異なる吐水を得ることが出来るように構成された請求項１のハス口。
【手続補正２】
【補正対象書類名】明細書
【補正対象項目名】全文
【補正方法】変更
【補正の内容】
【考案の詳細な説明】
【技術分野】
【０００１】本考案は、ペットボトルやガラス瓶等の密閉容器のキャップ用ネジ口部分に取り付けて吐水を行うハス口に関する。
【背景技術】
【０００２】ハス口を密閉容器（以降省略して容器と称する）のキャップ用ネジ口部分（以降省略してネジ口と称する）にネジ付けて、容器を握り圧縮することによる変形を利用してハス口から吐水を行うものや、ハス口近傍に両端部が開口の給気管を設けて容器内に突出させ、容器内外の圧力差により吐水を行うもの、更に給気管を容器の底部近傍まで伸ばして、外気と連通して給気することにより吐水するものがある。
この例として特許文献に開示されているものがある。
【特許文献１】登録実用新案  ３０３３８２７号
【特許文献２】特開  ２０１６−０７７２６
【考案の開示】
【考案が解決しようとする課題】
【０００３】容器を握り圧縮することによる変形を利用して吐水や給気を行うのは、握れ
0003232789.tif 000009
は容量に対応して丈夫であり、また容器の径が大きいために、握り圧縮するのは困難である。両端開口の給気管を容器内に突出させて容器内外の圧力差により吐水を行うものにあっては、吐水のためにネジ口を下に向けると容器内の溶液が急に下降して給気管内で水封を起こしたり、容器内の負圧が給気力に達するまでは、給気管内に容器内の溶液が流入して吐出する間欠現象を連続して繰り返すために、ハス口からの吐水も間欠となり平準を欠くことがある。給気管を容器の底部近傍まで伸ばして、外気と連通して給気するものにあっては容器内の給気は外気と連通するが、給気管がハス口から長く突出すためにハス口の収納や運搬の利便性が損なわれる。
又、ハス口の吐水板はハス口の外殻と一体に形成され、取り外しや開放できないためにハス口内部に水垢や塵埃が付着して吐水効率が落ちても容易に清掃ができない。
更に、ハス口を容器ネジ口にネジ付けたときに把手付容器では、ハス口の吐水面が把手と相対する方向にならないことがある。
【課題を解決するための手段】
【０００４】これらの課題を解決するために本考案は、ハス口内包の中央より上部を円形とし下部を角形とするハス口外殻の一端に、ハス口と略４０°の開角にて吐水板を装着し、他端は容器にネジ付けて結合させるための筒口とソケットを有し、吐水により容器内の溶液が降下して容器内が負圧となったときに容器内へ給気を行う給気管をハス口内包に設けて構成されるハス口である。【０００５】給気管はハス口の吐水板Ａ端と、ハス口の筒口の中間部となるハス口外殻に給気管を挿入できる孔を設けて給気口とし、その孔に略８ｍｍ外径を有する給気管の端部を挿入し、給気管の他端部には給気管外径が内径となる弁管を装着して弁管の端面に、弁管の外径と同寸で弾性体の弁材を設け、その一端を弁管内径厚まで膠着させて開閉弁となした給気管を、ハス口内包の中間位置まで突出させて、吐水により容器内の溶液が降下して容器内部が負圧となったときに、容液の全表面に等圧の負圧が生ずる原理（パスカルの原理）による吸引力で、開閉弁が給気力の強弱に相関して開閉し容器内へ給気を行ない連続で平準な吐水を得ることにより、容器の握り圧縮吐水や両端開放給気管に起こる水封と間欠吐水を解決する。【０００６】更に給気管をハス口内包に設置することにより筒口から突出しないためにハス口の収納や運搬の利便性を図れる。【０００７】ハス口の吐水板は、ハス口の外殻に設けた直線の吐水板用凹型溝ガイドに平板からなる吐水板の外周部Ｂ端方向から噛みこませて、Ａ端方向からＢ端方向に吐水板をスライドさせて、Ａ端部の吐水板Ｌ曲りが吐水板用凹型溝ガイドのＡ端点に接触して押し止まり、着装することにより着脱出来ることから取り外してハス口内部の水垢や塵埃の掃除を行えて、更に吐水板を取り換えれば異なる吐水を得ることが出来る。【０００８】ハス口と容器の結合はハス口から突出した輪状のハス口の筒口に、容器にネジ付けるソケットの筒口を差し込み、その輪状の筒口を略８分割して外側へ反らしてバネ性状とした返し止めが、輪状のハス口の筒口を押え保持することにより、ハス口は任意の方向に回転することができる。
【考案の効果】
【０００９】本考案のハス口は、吐水板と干渉しない位置のハス口外殻に給気管を設けてその給気管の内端部に空気管内部への溶液流入防止と、給気を行う開閉弁の作用により容器内の負圧と溶液の急下降により起こる水封や間欠吐水の現象を解消し、更に給気管がハス口から突出しない構成により収納や運搬の利便性を図れる。
またハス口の吐水板はスライドさせて着脱出来ることから、取り外してハス口内部の水垢や塵埃の掃除を行えて、更に吐水板を取換えれば異なる吐水を得ることが出来る。
【考案を実施するための形態】
【００１０】図１は本実施例の縦断面図を示す。ハス口１の端部に略４０°の開角にて吐水板２を装着し、他端にはハス口１と容器５を結合するためにハス口１から突出した輪状のハス口の筒口１４に、容器にネジ付けるソケットの筒口４１を差し込み、その輪状の筒口を略８分割して外側へ反らしてバネ性状とした返し止め４４にて、輪状のハス口の筒口１４を押え保持することにより、ハス口は任意の方向に回転することができる。
【００１１】ハス口の吐水板２のＡ端と、ハス口の筒口１４の中間部となるハス口外殻１１に給気管を挿入できる孔を設けて給気口１３とし、その孔に略８ｍｍ外径を有する給気管３の端部を挿入し、他端部には給気管外径が内径となる弁管３１を装着し、その端面に弁管３１の外径と同寸で弾性体の弁材を設け、その一端を弁管の内径厚まで膠着して開閉弁３２となし、ハス口内包の中間位置まで突出させて、吐水により容器内の溶液６が降下して容器５内が負圧となったときに、その負圧による給気力の強弱に相関して開閉弁３２が開いて給気を行ない、負圧が解除されたときは閉鎖して給気管３内部に溶液６が流入するのを防止する
【００１２】ソケット４の内側にはネジ口径略３８ｍｍの大型容器用ネジ山４２とネジ口径略３０ｍｍの中型容器用ネジ山４３を有するが、これら以外の口径の容器にはソケット４にアタッチメントを取り付ける。
【００１３】図４は本実施例の横断面図を示す。ハス口１の吐水板２はハス口外殻１１の外周端部に設けた吐水板用凹溝ガイド１２に、外周部Ｂ端方向から噛みこませてＡ端方向からＢ端方向に吐水板２をスライドさせ、Ａ端部の吐水板Ｌ曲り２１が吐水板用凹型溝ガイド１２のＡ端点に接触して、押し止まり着装することにより着脱出来ることから、取り外してハス口内部の水垢や塵埃の掃除を行えて、更に吐水板を取り換えれば異なる吐水を得ることができる
【００１４】本考案において吐水とは容器内の溶液６の液体吐出を言い液体は、水、消毒液、肥料溶液等水溶液全般を言う。
【産業上の利用分野】
【００１５】本考案のハス口は、容器のネジ口に装着して、密閉の容器に係らず吐水を行うものに関する。
【図面の簡単な説明】
【図１】同実施例の縦断面図
【図２】同実施例の縦外面姿図
【図３】同実施例の下面姿図
【図４】同実施例の横断面図（中間部）
【図５】同実施例の横断面図（前方部）
【符号の説明】１……ハス口                ４……ソケット
１１…ハス口の外殻          ４１…ソケットの筒口
１２…吐水板用凹溝ガイド    ４２…大型容器用ネジ山
１３…給気口                ４３…中型容器用ネジ山
１４…ハス口の筒口          ４４…返し止め
２……吐水板                ５……容器
２１…吐水板Ｌ曲り          ５１…容器ネジ口
３……給気管                ５……溶液
３１…弁管
３２…開閉弁
【手続補正３】
【補正対象書類名】図面
【補正対象項目名】全図
【補正方法】変更
【補正の内容】
【図１】
0003232789.tif 000010
【図２】
0003232789.tif 000011
【図３】
0003232789.tif 000012
【図４】
0003232789.tif 000013
【図５】
0003232789.tif 000014